(57)【要約】【課題】  経時変化による変色や色あせ等の発生が少なく、すべり抵抗が大きく、歩行感の柔らかい景観舗装材の製造方法および景観舗装材を提供する。【解決手段】  不純物を除去した貝殻、例えばカキ殻を粉砕して適用個所に応じた粒度の粉粒物２を形成し、この粉粒物１に無黄変型の一液性ウレタン樹脂と、適宜ゴムチップ３や木材チップを均一に混合して景観舗装材１を製造する。これにより、経時変化による変色や色あせ等の発生が少なく、すべり抵抗が大きく、歩行感の柔らかい景観舗装材の製造方法および景観舗装材を提供できる。【選択図】        図１
2005068773.tif 000002
【特許請求の範囲】
【請求項１】
貝殻を粉砕して得られる粉粒物と、無黄変型のウレタン樹脂とを混合してなることを特徴とする景観舗装材。
【請求項２】
貝殻を粉砕して得られる粉粒物と、無黄変型のウレタン樹脂と、少なくともゴムチップ又は木材チップのいずれかと、を混合してなることを特徴とする景観舗装材。
【請求項３】
前記ウレタン樹脂は、一液性であることを特徴とする請求項１又は２記載の景観舗装材。
【発明の詳細な説明】
【技術分野】
【０００１】
この発明は、例えば、景観舗装材に関するものである。
【背景技術】
【０００２】
景観舗装は、環境に配慮した素材の舗装、廃棄物を有効利用した舗装、顔料を加えてカラー化した舗装および天然の素材を使用した舗装など、利用者の観点からさまざまな用途に適応したものが施工されている。例えば、水産業で大量発生している貝殻は、有効なリサイクルがみつからず廃棄処分されているが、この貝殻を適度な粒度に破砕して得られる粉粒物を主原料とし、これにバインダーとして樹脂材を混合して形成した景観舗装がある（特許文献１）。
【特許文献１】特開平９−１５８１０６号公報（第２頁）
【発明の開示】
【発明が解決しようとする課題】
【０００３】
しかしながら、景観舗装材に樹脂をバインダーとして使う場合には、景観舗装の経時変化による変色や色あせにより美観が損なわれるという問題や、作業性に難点があり、硬化時間も長いという問題があった。また、従来の景観舗装やカキ殻を素材にした樹脂舗装は、表面が滑り易いと共に歩行感が硬く感じるという問題があった。
【０００４】
そこで、本発明は、上記事情に鑑みてなされたものであり、経時変化による変色や色あせ等の発生が少なく、すべり抵抗が大きく、歩行感の柔らかい景観舗装材の製造方法および景観舗装材を提供することを目的とするものである。
【課題を解決するための手段】
【０００５】
上記目的を達成するために、本発明の請求項１記載の景観舗装材は、貝殻を粉砕して得られる粉粒物と、無黄変型のウレタン樹脂とを混合してなることを特徴とするものである。
【０００６】
本発明の請求項２記載の景観舗装材は、貝殻を粉砕して得られる粉粒物と、無黄変型のウレタン樹脂と、少なくともゴムチップ又は木材チップのいずれかと、を混合してなることを特徴とするものである。
【０００７】
本発明の請求項３記載の景観舗装材は、前記ウレタン樹脂は、一液性であることを特徴とするものである。
【発明の効果】
【０００８】
以上に説明したように、本発明によれば、上記のように構成されているので、以下のような効果が得られる。
【０００９】
本発明の請求項１記載の景観舗装材は、貝殻を粉砕して得られる粉粒物と、無黄変型のウレタン樹脂とを混合してなることを特徴とするものであり、これにより、経時変化による変色や色あせ等を防止することができるので、景観舗装の美観を永く保つことができる。
【００１０】
本発明の請求項２記載の景観舗装材は、貝殻を粉砕して得られる粉粒物と、無黄変型のウレタン樹脂と、少なくともゴムチップ又は木材チップのいずれかと、を混合してなることを特徴とするものであり、これにより、景観舗装の表面のすべり抵抗値を上げることができると共に、歩行感を向上することができる。
【００１１】
本発明の請求項３記載の景観舗装材は、前記ウレタン樹脂は、一液性であることを特徴とするものであり、これにより、景観舗装を容易に施工することができる。
【発明を実施するための最良の形態】
【００１２】
以下に本発明の景観舗装材の製造方法について説明する。
【００１３】
まず、貝殻例えば野外に放置されているカキ殻をトロンメル（ロータリースクリーン）、粉砕機、ふるい機等によって不純物を取り除くと共に、粒度調整を行う。この場合、カキ殻の粒度はどのような大きさでもよいが、例えば庭、植樹帯、建物周り等の場所に用いるカキ殻は、カキ殻の色彩や造形、趣き等を利用するために５mm以上のカキ殻を含み、粒度が２０mm以下となるように調整するのが好ましい。これにより、景観重視の景観舗装を行うことができる。また、歩道、自転車道、園路、公園等の場所に用いるカキ殻の粒度は、すべり抵抗や歩行感、強度等を向上させるために５mm以下となるように調整する方が好ましい。これにより、機能重視の景観舗装を行うことができる。
【００１４】
次に、カキ殻の粉粒物に対し、バインダーとして無黄変型のウレタン樹脂を混合する。無黄変型のウレタン樹脂を用いることにより、経時変化による変色や色あせ等を防止することができる。また、ウレタン樹脂には、二液性のものより一液性のものを用いるほうが作業が容易となる点で好ましく、例えば、一液性で２４時間程度で硬化するウレタン樹脂を用いることができる。ウレタン樹脂の配合比は、重量比１５〜３０％の範囲で自由に決定することができる。
【００１５】
また、カキ殻の粉粒物に適量のゴムチップもしくは木材チップを混合してもよい。これにより、景観舗装の表面のすべり抵抗値を上げることができると共に、歩行感を向上することができる。この際、ゴムチップ及び木材チップの配合割合は自由に決定することができるが、強度等との関係から、カキ殻との重量比が０％を超えて２０％以内の範囲で調整するのが好ましい。
【００１６】
表１は、カキ殻の粒度およびゴムチップの配合率（重量比）と、圧縮強度（MPa）、曲げ強度（MPa）、透水係数（cm/s）、すべり抵抗値（BPN）との関係を示す表である。なお、ゴムチップ材には、表２の特性を示すものを用い、一液性の無黄変型ウレタン樹脂としては、表３の特性を示すものを用いた。また、無黄変型ウレタン樹脂の量は、カキ殻（大）の混合物に対しては重量比１５％、カキ殻（中）の混合物に対しては重量比２０％とした。また、表１のカキ殻（大）、カキ殻（中）とは、表４に示す粉粒物をいう。
【００１７】
【表１】
2005068773.tif 000003
【００１８】
【表２】
2005068773.tif 000004
【００１９】
【表３】
2005068773.tif 000005
【００２０】
【表４】
2005068773.tif 000006
表１より、景観舗装は、ゴムチップの配合割合を大きくすると、すべり抵抗値が高くなり、ゴムチップの配合割合を小さくすると、圧縮強度、曲げ強度、透水係数が高くなることがわかる。したがって、適用個所に応じて、カキ殻の粉粒物の大きさや配合割合を変えることにより、最も適した景観舗装を施工することができる。
【００２１】
また、ゴムチップの色は種々のものを用いることができる。図１は、カキ殻（大）の粉粒物２に対し、ゴムチップ３を０％（図１（ａ））、１０％（図１（ｂ））、２０％（図１（ｃ））の割合で混合してなる景観舗装材１を示す写真である。また、図２は、カキ殻（中）の粉粒物２に対し、ゴムチップ３を０％（図２（ａ））、１０％（図２（ｂ））、２０％（図２（ｃ））の割合で混合してなる景観舗装材１を示す写真である。このように、適用個所に応じてゴムチップ３の色や配合割合を変えることにより、景観舗装を様々な趣に演出することができる。
【００２２】
また、図３は、カキ殻（中）の粉粒物２に対し、木材チップ４を１０％配合してなる景観舗装材１を示す写真である。このように、ゴムチップの代わりとして木材チップを用いることもでき、これによっても、景観舗装の表面のすべり抵抗値を上げることができると共に、歩行感を向上することができる。また、ゴムチップに比較してより天然の素材を活かすことができ、景観の向上を図ることができる。なお、ゴムチップと木材チップの両方を用いることも勿論可能である。
【００２３】
このようにして、カキ殻の粉粒物と無黄変型ウレタン樹脂、および適宜ゴムチップや木材チップを均一に混合して景観舗装材を製造した後、この混合材料を景観舗装材として歩道、園道、遊歩道等の上層部分へ供給し、厚さが均一になるまでならした後、ローラーで押し固める。この後、所定の養生時間を経過すると景観舗装が完成する。
【００２４】
このように本実施例では、請求項１に対応して、景観舗装材１は、貝殻を粉砕して得られる粉粒物２と、無黄変型のウレタン樹脂とを混合してなることを特徴とするものであり、これにより、経時変化による変色や色あせ等を防止することができるので、景観舗装の美観を永く保つことができる。
【００２５】
また、このように本実施例では、請求項２に対応して、景観舗装材１は、貝殻を粉砕して得られる粉粒物２と、無黄変型のウレタン樹脂と、少なくともゴムチップ３又は木材チップのいずれかと、を混合してなることを特徴とするものであり、これにより、景観舗装の表面のすべり抵抗値を上げることができると共に、歩行感を向上することができる。
【００２６】
また、このように本実施例では、請求項３に対応して、景観舗装材１は、前記ウレタン樹脂は、一液性であることを特徴とするものであり、これにより、景観舗装を容易に施工することができる。
【００２７】
さらに、実施例上の効果として、この景観舗装材１の製造方法は、貝殻を粉砕して粉粒物２とし、この粉粒物に無黄変型のウレタン樹脂を混合することを特徴とする製造方法あり、これにより、経時変化による変色や色あせ等を防止することができる景観舗装材１を製造することができる。また、前記粉粒物２に少なくともゴムチップ３又は木材チップのいずれかを混合する製造方法であり、これにより、景観舗装の表面のすべり抵抗値を上げることができると共に、歩行感を向上することができる景観舗装材１を製造することができる。また、前記ウレタン樹脂は、一液性である製造方法であり、これにより、景観舗装材１の製造作業が容易となる。
【００２８】
なお、上記実施形態では、貝殻がカキ殻の場合について説明したが、カキ殻以外に例えばアサリ、シジミ、ホタテ、ハマグリ、サザエ等種々の貝殻を用いることができる。
【図面の簡単な説明】
【００２９】
【図１】カキ殻（大）の粉粒物に対し、ゴムチップを０％、１０％、２０％の割合で混合してなる景観舗装材を示す写真である。
【図２】カキ殻（中）の粉粒物に対し、ゴムチップを０％、１０％、２０％の割合で混合してなる景観舗装材を示す写真である。
【図３】カキ殻（中）の粉粒物に対し、ゴムチップを１０％の割合で混合してなる景観舗装材を示す写真である。
【符号の説明】
【００３０】
１  景観舗装材
２  粉粒物
３  ゴムチップ
４  木材チップ
【図１】
2005068773.tif 000007
【図２】
2005068773.tif 000008
【図３】
2005068773.tif 000009